(57)【要約】【課題】移動体通信端末及び移動体通信端末試験システムの測定部それぞれに対する制御を簡便に再現する。【解決手段】移動体通信端末試験システムは、移動体通信端末を制御するための操作指示を受けて端末制御コマンドを生成するとともに、測定制御のための操作指示を受けて測定制御コマンドを生成するコマンド生成部１２と、コマンド生成部により生成されたコマンドをコマンドシーケンスとして順次記憶する記憶部１３と、コマンドシーケンスを受け、当該コマンドシーケンスに記憶されたコマンドを出力するコマンド実行部１５と、コマンド実行部からのコマンドに基づいて測定制御を行う試験制御部１６０からの制御に基づいて、移動体通信端末に対する測定を行う測定部１６３とを備えた試験装置と、移動体通信端末に記憶され、端末制御指示を受け該移動体通信端末を制御するための試験アプリケーション２０とを含む。【選択図】図１
2014064239.tif 000002
【特許請求の範囲】
【請求項１】
試験対象の移動体通信端末を制御して通信試験を行う移動体通信端末試験システムであって、
操作部（１１０）を有し、前記通信試験の測定制御のための操作指示を前記操作部から受けて出力するユーザインターフェース処理部（１１１）と、
前記移動体通信端末を制御するための第１の操作指示を受けてこの第１の操作指示に対応する端末制御コマンドを生成するとともに、前記ユーザインターフェース処理部から前記測定制御のための操作指示を第２の操作指示として受けてこの第２の操作指示に対応する測定制御コマンドを生成するコマンド生成部（１２）と、
前記コマンド生成部により生成された前記端末制御コマンド及び前記測定制御コマンドをコマンドシーケンスとして順次記憶し、該コマンドシーケンスを外部に出力可能に記憶する記憶部（１３）と、
前記コマンドシーケンスを前記記憶部又は前記外部から受け、当該コマンドシーケンスに記憶された順に前記端末制御コマンド及び前記測定制御コマンドを出力するコマンド実行部（１５）と、
前記移動体通信端末と端末制御インターフェース（３０）を介して接続可能となっており、前記コマンド実行部からの前記端末制御コマンドに基づいた端末制御指示を前記移動体通信端末に前記端末制御インターフェースを介して出力するとともに、前記コマンド実行部からの前記測定制御コマンドに基づいて前記測定制御を行う試験制御部（１６０）と、
前記試験制御部からの前記測定制御に基づいて、前記端末制御指示に従って制御された前記移動体通信端末とＲＦ信号を送受して、該移動体通信端末に対する測定を行う測定部（１６３）と、
を備えた試験装置と、
前記移動体通信端末に消去可能に記憶されて前記移動体通信端末のハードウェアによって動作し、前記試験制御部からの端末制御指示を受け該移動体通信端末を制御するための試験アプリケーション（２０）と、
を含むことを特徴とする移動体通信端末試験システム。
【請求項２】
前記ユーザインターフェース処理部は、前記第１の操作指示を前記操作部から受けて前記コマンド生成部に出力することを特徴とする請求項１に記載の移動体通信端末試験システム。
【請求項３】
前記試験アプリケーションは、前記移動体通信端末に備えられた第１の操作部から前記第１の操作指示を受けて、前記端末制御インターフェースを介して前記試験制御部に出力し、
前記試験制御部は、前記試験アプリケーションから受けた前記第１の操作指示を前記コマンド生成部に出力することを特徴とする請求項１に記載の移動体通信端末試験システム。
【請求項４】
前記コマンド生成部は、前記端末制御コマンド又は前記測定制御コマンドを生成する毎に、所定時間の待機を行うためのウェイトコマンドを生成し、
前記記憶部は、当該生成された端末制御コマンド又は当該生成された測定制御コマンドの次のコマンドとして前記ウェイトコマンドを含んだ前記コマンドシーケンスを記憶し、
前記コマンド実行部は、前記ウェイトコマンドの実行順となったとき、前記所定時間だけ待機してから当該ウェイトコマンドの次に前記コマンドシーケンスに記憶された前記端末制御コマンド又は前記測定制御コマンドを出力することを特徴とする請求項１〜３のいずれかに記載の移動体通信端末試験システム。
【請求項５】
前記コマンド生成部は、前記操作部から前記ユーザインターフェース処理部を介して所定の操作指示を受けた状態で、前記第１の操作指示又は前記第２の操作指示を受けたときに、前記端末制御コマンド又は前記測定制御コマンドを生成するとともに、所定時間の待機を行うためのウェイトコマンドを生成し、
前記記憶部は、当該生成された端末制御コマンド又は当該生成された測定制御コマンドの次のコマンドとして前記ウェイトコマンドを含んだ前記コマンドシーケンスを記憶し、
前記コマンド実行部は、前記ウェイトコマンドの実行順となったとき、前記所定時間だけ待機してから当該ウェイトコマンドの次に前記コマンドシーケンスに記憶された前記端末制御コマンド又は前記測定制御コマンドを出力することを特徴とする請求項１〜３のいずれかに記載の移動体通信端末試験システム。
【請求項６】
試験対象の移動体通信端末を制御して通信試験を行う移動体通信端末試験方法であって、
前記移動体通信端末のハードウェアによって動作して前記移動体通信端末を制御するための試験アプリケーションを予め前記移動体通信端末に記憶するステップと、
前記移動体通信端末を制御するための第１の操作指示を受けてこの第１の操作指示に対応する端末制御コマンドを生成するとともに、
前記通信試験における測定制御のための第２の操作指示を受けてこの第２の操作指示に対応する測定制御コマンドを生成するステップと、
前記端末制御コマンド及び前記測定制御コマンドをコマンドシーケンスとして順次記憶するステップと、
前記記憶されたコマンドシーケンスを受けて、当該コマンドシーケンスに記憶された順に、前記端末制御コマンド及び前記測定制御コマンドを出力するステップと、
前記出力された前記端末制御コマンドに基づいた端末制御指示を前記移動体通信端末に端末制御インターフェースを介して出力するステップと、
前記端末制御指示に基づいて前記試験アプリケーションが前記移動体通信端末を制御するステップと、
前記出力された前記測定制御コマンドに基づいて前記測定制御を行うステップと、
前記測定制御に基づいて、前記試験アプリケーションによって制御された前記移動体通信端末とＲＦ信号を送受して、該移動体通信端末に対する測定を行うステップと、
を有することを特徴とする移動体通信端末試験方法。
【発明の詳細な説明】
【技術分野】
【０００１】
本発明は、試験対象の移動体通信端末を制御して通信試験を行う移動体通信端末試験システム及び移動体通信端末試験方法に関する。
【背景技術】
【０００２】
移動体通信端末の動作特性を試験する移動体通信端末試験装置が従来から知られている。この移動体通信端末試験装置は、疑似基地局として動作し、移動体通信端末と信号を送受信することで、移動体通信端末との通信試験を行う装置である。この通信試験には、移動体通信端末に指示を送り、移動体通信端末がこの指示に対応する動作をするかを確認する試験がある。例えば、所定の信号を発信させるための指示を移動体通信端末に送り、移動体通信端末からの信号を受信し、この受信した信号を解析することにより移動体通信端末が所定の信号を発信したかを確認する。このように、移動体通信端末試験には、移動体通信端末に信号を発信させる制御や信号を受信させる制御が必要である。
【０００３】
また、一般的な試験装置には、外部の制御装置からコマンドを受けることによるリモート制御が可能な構成の装置がある。例えば製造ラインでは、このような測定装置のリモート制御機能を利用し、複数のコマンドを連ねてその送信手順を定めたコマンドシーケンスを予め作成して制御装置に記憶させておき、このコマンドシーケンスに従って制御装置から試験装置にコマンドを送信することにより試験装置をリモート制御して、決められた試験を行う。このようにすることで、試験にかかる時間の短縮や、製造ライン変更への対応の容易化を図っている。
【０００４】
このコマンドシーケンスを作成するとき、試験装置の取扱説明書等を参照し、１つ１つのコマンドの機能や書式を確認する必要がある。コマンドは、測定装置自体の操作部から行うキー操作やマウス操作とは別に定義されているので、試験装置の操作に慣れている操作者であってもコマンドシーケンスの作成に多大な労力を必要とする。また、コマンドの記述ミスが発生するおそれがあるので、作成したコマンドシーケンスが正しいかどうか、個々のコマンド毎に検証する必要があった。
【０００５】
また、例えば、工場内で、制御装置を用いずに直接測定装置を操作して測定を実行しているときに不具合が発生した場合、その不具合の相談を受けた製造者側でその不具合が生じたときの操作と同様の制御をし、不具合を再現して対策を検討したい、或いは製造者側で正常に動作することが確認されたコマンドシーケンスで不具合があった工場側の測定装置を制御したいという要求があった。
【０００６】
ここで、試験装置の制御に係る操作に基づいてコマンドシーケンスを自動的に作成及び記憶し、そのコマンドシーケンスを実行することにより該操作に係る制御を再現する測定装置がある（特許文献１）。
【先行技術文献】
【特許文献】
【０００７】
【特許文献１】特開２０１０−２０３９９６号公報
【発明の概要】
【発明が解決しようとする課題】
【０００８】
上述したように、移動体通信端末の試験には、移動体通信端末に信号を発信させる制御や信号を受信させる制御、即ち、移動体通信端末に指示を送り動作させる制御を必要とする試験がある。このような試験において、試験装置のみではなく移動体通信端末への指示に係る操作をコマンドシーケンスとして作成及び記憶し、該操作を再現して制御したいという要求があった。即ち、移動体通信端末及び移動体通信端末試験装置の測定部それぞれに対する制御を簡便に再現したいという要求である。上記特許文献１の技術では、移動体通信端末への指示に係る制御を再現することができなかった。このため、上述したようにコマンドシーケンスの作成や、装置の保守サービスにおける動作再現において、多大な労力が生じていた。
【０００９】
本発明の目的は、移動体通信端末及び移動体通信端末試験システムの測定部それぞれに対する制御を簡便に再現することである。
【課題を解決するための手段】
【００１０】
上記目的を達成するため、請求項１に記載の発明は、試験対象の移動体通信端末を制御して通信試験を行う移動体通信端末試験システムであって、操作部（１１０）を有し、前記通信試験の測定制御のための操作指示を前記操作部から受けて出力するユーザインターフェース処理部（１１１）と、前記移動体通信端末を制御するための第１の操作指示を受けてこの第１の操作指示に対応する端末制御コマンドを生成するとともに、前記ユーザインターフェース処理部から前記測定制御のための操作指示を第２の操作指示として受けてこの第２の操作指示に対応する測定制御コマンドを生成するコマンド生成部（１２）と、前記コマンド生成部により生成された前記端末制御コマンド及び前記測定制御コマンドをコマンドシーケンスとして順次記憶し、該コマンドシーケンスを外部に出力可能に記憶する記憶部（１３）と、前記コマンドシーケンスを前記記憶部又は前記外部から受け、当該コマンドシーケンスに記憶された順に前記端末制御コマンド及び前記測定制御コマンドを出力するコマンド実行部（１５）と、前記移動体通信端末と端末制御インターフェース（３０）を介して接続可能となっており、前記コマンド実行部からの前記端末制御コマンドに基づいた端末制御指示を前記移動体通信端末に前記端末制御インターフェースを介して出力するとともに、前記コマンド実行部からの前記測定制御コマンドに基づいて前記測定制御を行う試験制御部（１６０）と、前記試験制御部からの前記測定制御に基づいて、前記端末制御指示に従って制御された前記移動体通信端末とＲＦ信号を送受して、該移動体通信端末に対する測定を行う測定部（１６３）と、を備えた試験装置と、前記移動体通信端末に消去可能に記憶されて前記移動体通信端末のハードウェアによって動作し、前記試験制御部からの端末制御指示を受け該移動体通信端末を制御するための試験アプリケーション（２０）と、を含むことを特徴とする移動体通信端末試験システムである。
【００１１】
また、請求項２に記載の発明は、請求項１に記載の移動体通信端末試験システムであって、前記ユーザインターフェース処理部は、前記第１の操作指示を前記操作部から受けて前記コマンド生成部に出力することを特徴とする。
【００１２】
また、請求項３に記載の発明は、請求項１に記載の移動体通信端末試験システムであって、前記試験アプリケーションは、前記移動体通信端末に備えられた第１の操作部から前記第１の操作指示を受けて、前記端末制御インターフェースを介して前記試験制御部に出力し、前記試験制御部は、前記試験アプリケーションから受けた前記第１の操作指示を前記コマンド生成部に出力することを特徴とする。
【００１３】
また、請求項４に記載の発明は、請求項１〜３のいずれかに記載の移動体通信端末試験システムであって、前記コマンド生成部は、前記端末制御コマンド又は前記測定制御コマンドを生成する毎に、所定時間の待機を行うためのウェイトコマンドを生成し、前記記憶部は、当該生成された端末制御コマンド又は当該生成された測定制御コマンドの次のコマンドとして前記ウェイトコマンドを含んだ前記コマンドシーケンスを記憶し、前記コマンド実行部は、前記ウェイトコマンドの実行順となったとき、前記所定時間だけ待機してから当該ウェイトコマンドの次に前記コマンドシーケンスに記憶された前記端末制御コマンド又は前記測定制御コマンドを出力することを特徴とする。
【００１４】
また、請求項５に記載の発明は、請求項１〜３のいずれかに記載の移動体通信端末試験システムであって、前記コマンド生成部は、前記操作部から前記ユーザインターフェース処理部を介して所定の操作指示を受けた状態で、前記第１の操作指示又は前記第２の操作指示を受けたときに、前記端末制御コマンド又は前記測定制御コマンドを生成するとともに、所定時間の待機を行うためのウェイトコマンドを生成し、前記記憶部は、当該生成された端末制御コマンド又は当該生成された測定制御コマンドの次のコマンドとして前記ウェイトコマンドを含んだ前記コマンドシーケンスを記憶し、前記コマンド実行部は、前記ウェイトコマンドの実行順となったとき、前記所定時間だけ待機してから当該ウェイトコマンドの次に前記コマンドシーケンスに記憶された前記端末制御コマンド又は前記測定制御コマンドを出力することを特徴とする。
【００１５】
また、請求項６に記載の発明は、試験対象の移動体通信端末を制御して通信試験を行う移動体通信端末試験方法であって、前記移動体通信端末のハードウェアによって動作して前記移動体通信端末を制御するための試験アプリケーションを予め前記移動体通信端末に記憶するステップと、前記移動体通信端末を制御するための第１の操作指示を受けてこの第１の操作指示に対応する端末制御コマンドを生成するとともに、前記通信試験における測定制御のための第２の操作指示を受けてこの第２の操作指示に対応する測定制御コマンドを生成するステップと、前記端末制御コマンド及び前記測定制御コマンドをコマンドシーケンスとして順次記憶するステップと、前記記憶されたコマンドシーケンスを受けて、当該コマンドシーケンスに記憶された順に、前記端末制御コマンド及び前記測定制御コマンドを出力するステップと、前記出力された前記端末制御コマンドに基づいた端末制御指示を前記移動体通信端末に端末制御インターフェースを介して出力するステップと、前記端末制御指示に基づいて前記試験アプリケーションが前記移動体通信端末を制御するステップと、前記出力された前記測定制御コマンドに基づいて前記測定制御を行うステップと、前記測定制御に基づいて、前記試験アプリケーションによって制御された前記移動体通信端末とＲＦ信号を送受して、該移動体通信端末に対する測定を行うステップと、を有することを特徴とする移動体通信端末試験方法である。
【発明の効果】
【００１６】
本発明によれば、移動体通信端末に試験のための動作をさせる試験アプリケーションを予め記憶しておき、測定部及び移動体通信端末の動作に係る操作指示をコマンドに変換しさらにコマンドシーケンスとして記憶し、コマンドシーケンスを外部に取り出し可能にし、記憶されたコマンドシーケンスに基づいて測定部及び移動体通信端末のそれぞれへの操作指示を再現する。従って、移動体通信端末及び移動体通信端末試験システムの測定部それぞれに対する制御を簡便に再現することができる。
【図面の簡単な説明】
【００１７】
【図１】本発明の実施形態に係る移動体通信端末試験システムの構成を表すブロック図。
【図２】本発明の実施形態に係る移動体通信端末試験システムの概略を表す模式図。
【図３】本発明の実施形態に係る移動体通信端末試験システムの概略を表す模式図。
【図４】本発明の実施形態に係る移動体通信端末試験システムの動作を表すフローチャート。
【図５】本発明の実施形態に係る移動体通信端末試験システムの構成を表すブロック図。
【発明を実施するための形態】
【００１８】
本発明の実施形態に係る移動体通信端末試験システムについて図面を参照しながら説明する。
【００１９】
〈第１の実施形態〉
［構成］
図１は、この実施形態の移動体通信端末試験システム１の構成を表すブロック図である。移動体通信端末試験システム１は、試験装置１０と、移動体通信端末２に予め記憶された試験アプリケーション２０と、を有する。試験装置１０は、端末制御インターフェース３０と、無線インターフェース４０と、測定部１６３とを有する。また、図１の移動体通信端末２は通信試験の被試験体である。移動体通信端末試験システム１は、移動体通信端末２及び測定部１６３のそれぞれを制御して通信試験を行う。
【００２０】
試験装置１０は、ユーザインターフェース部１１と、コマンド生成部１２と、記憶部１３と、外部インターフェース１４と、コマンド実行部１５と、試験実行部１６とを有する。ユーザインターフェース部１１は、操作部１１０と、ユーザインターフェース処理部１１１と、表示部１１２とを有する。操作部１１０は、移動体通信端末２に対する第１の操作指示及び測定部１６３に対する第２の操作指示の入力に用いられる。また、操作部１１０は、表示部１１２に表示されたＧＵＩ（Ｇｒａｐｈｉｃａｌ  Ｕｓｅｒ  Ｉｎｔｅｒｆａｃｅ）を含んでいてもよい。
【００２１】
ユーザインターフェース処理部１１１は、移動体通信端末２に対する第１の操作指示及び前記測定部１６３に対する第２の操作指示を、操作部１１０から受けてコマンド生成部１２に出力する。また、ユーザインターフェース処理部１１１は、移動体通信端末２に対する第１の操作指示及び前記測定部１６３に対する第２の操作指示を、操作部１１０から受けて試験制御部１６０に出力してもよい。
【００２２】
具体的には、ユーザインターフェース処理部１１１は、移動体通信端末２に対する第１の操作指示を入力するための第１の入力画面と、測定部１６３に対する第２の操作指示を入力するための第２の入力画面とを、表示部１１２に表示する。
【００２３】
第１の入力画面には、移動体通信端末２に対して使用者が本来行う操作を模擬して、移動体通信端末２から通話の発呼やメール送信、Ｗｅｂアクセス等を行わせるための画面が表示される。これは、例えば、電話番号入力欄や、メールのアドレス、タイトル、本文の入力欄や、インターネットアドレスの入力欄が設けられた画面である。あるいは、移動体通信端末２の表示画面そのものを模擬した画面であってもよい。
【００２４】
また、第１の入力画面の別な表示として、移動体通信端末２の通信の制御に係る設定を行うための画面が表示される。これは、例えば、移動体通信端末２の通信方式、通信に用いる周波数及び帯域幅、移動体通信端末２から出力される信号のレベル等を設定するための画面である。
【００２５】
第２の入力画面には、測定部１６３が移動体通信端末２に送出する信号の通信方式、周波数及び帯域幅、レベル、信号出力指示等を入力するための画面が表示される。また、測定部１６３が移動体通信端末２から受けた信号に対して解析を行うための、周波数及び帯域幅の設定等の入力画面が表示される。
【００２６】
表示部１１２は、ＬＣＤ（Ｌｉｑｕｉｄ  Ｃｒｙｓｔａｌ  Ｄｉｓｐｌａｙ）等の表示デバイスによって構成される。
【００２７】
コマンド生成部１２は、第１の操作指示を所定の端末制御コマンドに変換するとともに、第２の操作指示を所定の測定制御コマンドに変換することにより、各コマンドを生成する。コマンド生成部１２は、コマンドテーブルを予め記憶し、このコマンドテーブルを参照することによって入力された指示をコマンドに変換する。図２は、コマンドテーブルの概要を表す模式図である。コマンド生成部１２は、例えばＧＰＩＢ（Ｇｅｎｅｒａｌ  Ｐｕｒｐｏｓｅ  Ｉｎｔｅｒｆａｃｅ  Ｂｕｓ）コマンドを所定の端末制御コマンド及び所定の測定制御コマンドとする。以下、コマンドとしては、ＧＰＩＢコマンドを例に説明する。
【００２８】
上記説明では、操作部１１０から第１の操作指示と第２の操作指示とが分かれて入力される形態で説明したが、第１の操作指示と第２の操作指示とは区別なく指示されてもよい。この場合、コマンド生成部１２が、端末制御用コマンドテーブルと測定制御用コマンドテーブルとを有し、指示が前者のテーブル又は後者のテーブルのいずれかに該当するかを判断することによって第１の操作指示、第２の操作指示の区別ができる。
【００２９】
また、コマンド生成部１２は、ユーザインターフェース処理部１１１を介して所定の指示が入力されたとき、予め設定された所定の時間間隔に基づくウェイトコマンドを生成してもよい。例えば、所定の指示として操作部１１０のシフトキーを押した状態で上述した第１の操作指示又は第２の操作指示が入力されたとき、コマンド生成部１２は、所定の時間間隔に基づくウェイトコマンドを生成する。ウェイトコマンドとは、被制御部（測定部１６３、移動体通信端末２）に出力する次のコマンドの実行を所定の時間待機させるコマンドである。一般的な装置のハードウェアは動作の切り替え（例えば送信から受信への切り替え）に所定の時間を必要とする。ウェイトコマンドはこの時間に侵食して指示が送られることを防ぐためのものである。また、コマンド生成部１２は、端末制御コマンド及び測定制御コマンドを生成する毎に、上述のウェイトコマンドを生成するようにしてもよい。
【００３０】
記憶部１３は、コマンド生成部１２から出力された端末制御コマンド及び測定制御コマンドを一連のコマンドシーケンスとして順次記憶する。図３は、記憶部１３が記憶したコマンドシーケンスの概要を表す模式図である。記憶部１３は、コマンドに項番を付してコマンドシーケンスとして記憶する。なお、記憶部１３は、コマンド生成部１２がウェイトコマンドを生成したとき、ウェイトコマンドを含んだコマンドシーケンスを記憶する。
【００３１】
上記説明において、端末制御コマンドと測定制御コマンドとを区別して取り出し可能に識別するためのフラグ（或いはタグ）を付して記憶させるとよい。
【００３２】
また、記憶部１３は、記憶したコマンドシーケンスを外部に出力可能である。ここで、外部とは、例えばＵＳＢ（Ｕｎｉｖｅｒｓａｌ  Ｓｅｒｉａｌ  Ｂｕｓ）等の外部インターフェース１４を介して試験装置１０と接続された記憶媒体３である。記憶部１３は、操作部１１０からユーザインターフェース処理部１１１を介して外部への出力指示を受けたとき、外部インターフェース１４を介してコマンドシーケンスを外部に出力する。
【００３３】
コマンド実行部１５は、内部のコマンドを用いる場合は記憶部１３から、又は、外部のコマンドを用いる場合（外部コントロール）は外部インターフェース１４からのコマンドシーケンスを試験実行部１６の試験制御部１６０に出力する。
【００３４】
試験制御部１６０は、ユーザインターフェース処理部１１１から移動体通信端末２及び測定部１６３に対する第１の操作指示及び第２の操作指示を直接受けて、測定部１６３及び移動体通信端末２内の試験アプリケーション２０が認識できる指示で測定部１６３及び移動体通信端末２を制御する場合と、切り替えによって、第１の操作指示、第２の操作指示が変換されたコマンドで測定部１６３及び移動体通信端末２を制御する場合がある。前者は通常の制御であり、後者は操作指示を再現する制御である。
【００３５】
試験制御部１６０は、測定制御部１６２と端末制御部１６１とを有する。なお、試験制御部１６０は、測定部１６３による測定結果を表示部１１２に表示させる。
【００３６】
測定制御部１６２は、ユーザインターフェース処理部１１１からの第２の操作指示又は入力された測定制御コマンドに基づいて測定部１６３を制御する。
【００３７】
測定部１６３は、ＲＦ帯で移動体通信端末２と通信を行い、移動体通信端末２との通信に係る送信信号の発生及び受信信号の解析を行う。測定部１６３は、測定制御部１６２からの指示に基づいて、移動体通信端末２に所定の無線システムで規定される信号を送り、移動体通信端末２からの信号を受信して、測定、解析することにより、移動体通信端末２を検査するものである。そのとき、例えば受信した信号を時間領域で解析し、また、周波数領域でその信号の周波数スペクトラムを解析し、あるいは通信の内容をログ表示する。その測定結果、解析を行った結果を、試験制御部１６０を介して表示部１１２に表示させる。
【００３８】
端末制御部１６１は、ユーザインターフェース処理部１１１からの第１の操作指示又は入力された端末制御コマンドに基づいて移動体通信端末２に対する指示を端末制御インターフェース３０を介して出力する。
【００３９】
このように、ユーザインターフェース処理部１１１、コマンド生成部１２、記憶部１３、端末制御部１６１及び測定制御部１６２は、一つの装置内即ち試験装置１０に含まれる。
【００４０】
試験アプリケーション２０は、移動体通信端末２に消去可能に予め記憶されて、端末制御部１６１が出力した移動体通信端末２に対する指示を受け、移動体通信端末２を制御するためのソフトウェアである。試験アプリケーション２０は、移動体通信端末２のＣＰＵやメモリ等のハードウェア上で動作して、移動体通信端末２の通信の制御を行う。具体的には、試験アプリケーション２０は、端末制御部１６１からの指示に基づいて、移動体通信端末２から通話の発呼やメール送信、Ｗｅｂアクセス等を行わせる。また、試験アプリケーション２０は、端末制御部１６１からの指示に基づいて、移動体通信端末２の通信方式、通信に用いる周波数及び帯域幅、移動体通信端末２から出力される信号のレベル等を設定する。
【００４１】
なお、移動体通信端末２に対する試験アプリケーション２０の記憶及び消去は、例えば以下のように行われる。移動体通信端末２に対する通信試験を行う際、試験者は、予め移動体通信端末２に試験アプリケーション２０をインストールする。また、通信試験が終了した段階で、試験者は、試験アプリケーション２０を移動体通信端末２からアンインストールする。このようにすることにより、移動体通信端末２の検査を効率的に行って出荷でき、且つ、移動体通信端末２の使用段階で、試験アプリケーション２０による誤った制御が行われることを防止できる。
【００４２】
［動作］
図４は、この実施形態の移動体通信端末試験システム１の動作を表すフローチャートである。
【００４３】
（Ｓ０１）
ユーザインターフェース処理部１１１は、移動体通信端末２に対する第１の操作指示及び前記測定部１６３に対する第２の操作指示を、操作部１１０から受けてコマンド生成部１２に出力する。このとき、これらの第１の操作指示及び第２の操作指示に基づいた通信試験が行われる。
【００４４】
（Ｓ０２）
コマンド生成部１２は、第１の操作指示を所定の端末制御コマンドに変換するとともに、第２の操作指示を所定の測定制御コマンドに変換することにより、各コマンドを生成する。このときコマンド生成部１２は、コマンドテーブルを予め記憶し、このコマンドテーブルを参照することによって入力された指示をコマンドに変換する。なお、コマンド生成部１２は、ユーザインターフェース処理部１１１を介して所定の指示が入力されたとき、予め設定された所定の時間間隔に基づくウェイトコマンドを生成してもよい。あるいは、コマンド生成部１２は、端末制御コマンド又は測定制御コマンドを生成する毎に、このウェイトコマンドを生成してもよい。
【００４５】
（Ｓ０３）
記憶部１３は、コマンド生成部１２による端末制御コマンド及び測定制御コマンドをコマンドシーケンスとして順次記憶する。なお、記憶部１３は、コマンド生成部１２がウェイトコマンドを生成したとき、ウェイトコマンドを含んだコマンドシーケンスを記憶する。
【００４６】
ここまでは、最初の通信試験における動作である。これ以降は、最初の通信試験の手順を再現するための動作である。
【００４７】
（Ｓ０４）
コマンド実行部１５は、記憶部１３又は外部インターフェース１４からのコマンドシーケンスに基づいて、端末制御コマンド及び測定制御コマンドを試験実行部１６の試験制御部１６０に出力する。なお、コマンド実行部１５は、コマンドシーケンスに記憶された順に端末制御コマンド及び測定制御コマンドを出力するが、ウェイトコマンドがあった場合は、所定の時間だけ待機して、次のコマンドを出力する。
【００４８】
（Ｓ０５）
試験制御部１６０は、コマンド実行部１５による出力を受け、それが端末制御コマンドであるとき、当該端末制御コマンドを端末制御部１６１に出力する。また、試験制御部１６０は、コマンド実行部１５による出力を受け、それが端末制御コマンドでないとき、受けた制御コマンドを測定制御部１６２に出力する。
【００４９】
（Ｓ０６）
端末制御部１６１は、入力された端末制御コマンドに基づいて移動体通信端末２に対する指示を出力する。
【００５０】
（Ｓ０７）
試験アプリケーション２０は、端末制御部１６１が出力した移動体通信端末２に対する指示を受け移動体通信端末２を制御する。
【００５１】
（Ｓ０８）
測定制御部１６２は、入力された測定制御コマンドに基づいて測定部１６３を制御する。
【００５２】
（Ｓ０９）
測定部１６３は、測定制御部１６２からの指示に基づいて、測定及び解析を行う。また、試験制御部１６０を介して測定及び解析結果を表示部１１２に表示させる。以上で図４に示す動作を終了する。
【００５３】
［作用・効果］
本実施形態の移動体通信端末試験システム１の作用及び効果について説明する。
【００５４】
本実施形態の移動体通信端末試験システム１は、操作部１１０を介して入力された、測定部１６３及び移動体通信端末２の動作に係る一連の操作入力をコマンドに変換しさらにコマンドシーケンスとして記憶し、記憶されたコマンドシーケンスに基づいて測定部１６３及び移動体通信端末２のそれぞれへの操作指示を再現する。それにより、移動体通信端末２及び移動体通信端末試験システム１の測定部１６３それぞれに対する制御を簡便に再現する移動体通信端末試験システム１を提供することができ、コマンドシーケンス作成や保守サービスに係る労力を低減することができる。
【００５５】
〈第２の実施形態〉
図５は、第２の実施形態の移動体通信端末試験システム１の構成を表すブロック図である。この移動体通信端末試験システム１は、第１の実施形態に対して、ユーザインターフェース部１１、試験アプリケーション２０、コマンド生成部１２及び端末制御部１６１の構成が異なる。他の構成要素の構成は第１の実施形態に同様であり、第１の実施形態の構成を援用してよい。
【００５６】
第２の実施形態において、試験対象の移動体通信端末２は、第１の操作部１１０１及び第１の表示部１１２１を備えている。第１の操作部１１０１は、例えばキーボードやタッチパネルであり、第１の表示部１１２１は、例えば液晶ディスプレイである。
【００５７】
試験アプリケーション２０は、第１のユーザインターフェース処理部１１１１を含んでいる。第１のユーザインターフェース処理部１１１１は、第１の表示部１１２１に前述した第１の表示画面を表示するとともに、第１の操作部１１０１から前述した第１の操作指示を受ける。試験アプリケーション２０は、第１のユーザインターフェース処理部１１１１が受けた第１の操作指示に従って移動体通信端末２を制御するとともに、この第１の操作指示を、端末制御インターフェース３０を介して端末制御部１６１に出力する。これ以外の機能について、第２の実施形態における試験アプリケーション２０は、第１の実施形態に同様である。
【００５８】
端末制御部１６１は、試験アプリケーション２０から受けた第１の操作指示を、コマンド生成部１２に出力する。これにより、コマンド生成部１２は、移動体通信端末２での第１の操作指示に対応する端末制御コマンドを生成する。これ以外の機能について、第２の実施形態における端末制御部１６１及びコマンド生成部１２は、第１の実施形態に同様である。
【００５９】
第２のユーザインターフェース処理部１１１２は、コマンド生成部１２、記憶部１３、端末制御部１６１及び測定部１６３部とともに一つの装置内即ち試験装置１０に含まれ、試験装置１０に備えられた第２の操作部１１０２及び第２の表示部１１２２を有し第２の操作部１１０２からの第２の操作指示をコマンド生成部１２へ出力する。このように、測定部１６３に対する指示（第２の操作指示）は試験装置側にて受ける。
【００６０】
［作用・効果］
本実施形態の移動体通信端末試験システム１の作用及び効果について説明する。
【００６１】
本実施形態の移動体通信端末試験システム１は、このように、試験装置側のみならず、移動体通信端末側からの指示入力もコマンドに変換しさらにコマンドシーケンスとして記憶し、記憶されたコマンドシーケンスに基づいて測定部１６３及び移動体通信端末２のそれぞれへの指示を再現する。それにより、移動体通信端末２及び移動体通信端末試験システム１の測定部１６３それぞれに対する制御を簡便に再現する移動体通信端末試験システム１を提供することができる。
【符号の説明】
【００６２】
１      移動体通信端末試験システム
２      移動体通信端末
３      記憶媒体
１０    試験装置
１１    ユーザインターフェース部
１２    コマンド生成部
１３    記憶部
１４    外部インターフェース
１５    コマンド実行部
１６    試験実行部
２０    試験アプリケーション
３０    端末制御インターフェース
４０    無線インターフェース
１１０  操作部
１１１  ユーザインターフェース処理部
１１２  表示部
１６０  試験制御部
１６１  端末制御部
１６２  測定制御部
１６３  測定部
１１０１  第１の操作部
１１０２  第２の操作部
１１１１  第１のユーザインターフェース処理部
１１１２  第２のユーザインターフェース処理部
１１２１  第１の表示部
１１２２  第２の表示部
【図１】
2014064239.tif 000003
【図２】
2014064239.tif 000004
【図３】
2014064239.tif 000005
【図４】
2014064239.tif 000006
【図５】
2014064239.tif 000007